(57)【要約】【課題】最下段に位置する蹴込板のように、収容される溝の下端側が、床面等によって塞がれてしまう蹴込板を、一対の側板の間に容易に組み付けることが可能な階段の施工方法を提供する。【解決手段】一対の側板１２，１２の内側面２６に、踏板１４の端部を収容する第１の踏板収容溝４４Ａと、蹴込板１６の端部を収容する第１の蹴込板収容溝５２Ａと、を形成する。一方の側板１２に、第１の蹴込板収容溝５２Ａの底面５７よりも掘り下げられた開口部６０を形成しておき、一対の側板１２，１２の間に、蹴込板１６を組み付けるに際し、蹴込板１６の一端部６１を開口部６０に差込んだ状態で、蹴込板１６を回動させて、蹴込板１６の他端部６２を、第１の蹴込板収容溝５２Ａを臨む位置まで移動させ、その後、蹴込板１６の一端部６１を開口部６０から抜き出し、蹴込板１６の両端部を第１の蹴込板収容溝５２Ａ内に収容する。【選択図】        図７
2019082002.tif 000002
【特許請求の範囲】
【請求項１】
一対の側板の間に、踏板および該踏板と連結された蹴込板が組み付けられた階段の施工方法であって、
前記一対の側板のそれぞれの内側面に、水平方向に延びて後方に向けて開放し、前記踏板の端部を収容する第１の踏板収容溝と、
上端を該第１の踏板収容溝に連通させ、前記蹴込板の端部を収容する第１の蹴込板収容溝と、を形成するとともに、
少なくとも何れか一方の側板に、これら第１の蹴込板収容溝および第１の踏板収容溝に跨って、該第１の蹴込板収容溝の底面よりも掘り下げられ、前記蹴込板の端部を該底面よりも深い位置まで差込み可能とする開口部を形成しておき、
互いに平行に配置した前記一対の側板の間に、前記蹴込板を組み付けるに際し、
該蹴込板の一端部を前記開口部に差込んだ状態で、該一端部を中心に該蹴込板を回動させて、該蹴込板の他端部を、前記第１の蹴込板収容溝を臨む位置まで移動させ、その後、前記蹴込板の一端部を前記開口部から抜き出すことで、前記蹴込板の両端部をそれぞれ前記第１の蹴込板収容溝内に収容することを特徴とする階段の施工方法。
【請求項２】
前記第１の蹴込板収容溝の前壁を鉛直方向に形成するとともに、該前壁と対向する後壁を、該後壁に沿って前記蹴込板を配置した際に該蹴込板の上端部が前記第１の踏板収容溝内に突出しないように、上方に進むにつれて該前壁から離れる方向に傾斜させておき、
前記第１の蹴込板収容溝内に収容した前記蹴込板を前記後壁に沿わせた状態とし、前記第１の踏板収容溝に挿入した前記踏板の前端を、前記蹴込板の直上を通過させ、その後に前記踏板と前記蹴込板とを連結させることを特徴とする請求項１に記載の階段の施工方法。
【請求項３】
内側面に、水平方向に延びて後方に向けて開放し、踏板の端部を収容する第１の踏板収容溝と、
上端を該第１の踏板収容溝に連通させ、蹴込板の端部を収容する第１の蹴込板収容溝と、が形成された一対の側板を具備する階段構成部材であって、
少なくとも何れか一方の側板に、これら第１の蹴込板収容溝および第１の踏板収容溝に跨って、該第１の蹴込板収容溝の底面よりも掘り下げられ、前記蹴込板の端部を該底面よりも深い位置まで差込み可能とする開口部が形成されていることを特徴とする階段構成部材。
【請求項４】
前記第１の蹴込板収容溝の前壁が鉛直方向に形成されるとともに、該前壁と対向する後壁が、該後壁に沿って前記蹴込板を配置した際に該蹴込板の上端部が前記第１の踏板収容溝内に突出しないように、上方に進むにつれて該前壁から離れる方向に傾斜していることを特徴とする請求項３に記載の階段構成部材。
【請求項５】
一対の側板の間に、踏板および該踏板と連結された蹴込板が組み付けられた階段であって、
前記一対の側板のそれぞれの内側面に、水平方向に延びて後方に向けて開放し、前記踏板の端部を収容する第１の踏板収容溝と、
上端を該第１の踏板収容溝に連通させ、前記蹴込板の端部を収容する第１の蹴込板収容溝と、が形成され、
少なくとも何れか一方の側板に、これら第１の蹴込板収容溝および第１の踏板収容溝に跨って、該第１の蹴込板収容溝の底面よりも掘り下げられ、前記蹴込板の端部を該底面よりも深い位置まで差込み可能とする開口部が形成されていることを特徴とする階段。
【請求項６】
前記第１の蹴込板収容溝の前壁が鉛直方向に形成されるとともに、該前壁と対向する後壁が、該後壁に沿って前記蹴込板を配置した際に該蹴込板の上端部が前記第１の踏板収容溝内に突出しないように、上方に進むにつれて該前壁から離れる方向に傾斜していることを特徴とする請求項５に記載の階段。
【発明の詳細な説明】
【技術分野】
【０００１】
この発明は、一対の側板の間に踏板および蹴込板が組み付けられた戸建住宅等にて好適に設置される階段、その階段を構成する部材および階段の施工方法に関する。
【背景技術】
【０００２】
戸建住宅等に設置される屋内階段では、踏板及び蹴込板をその側方において支持する側板が、互いに平行に配置され、これら一対の側板の間に、複数の踏板および蹴込板が組み付けられている。このような階段においては、側板の対向面となる内側面に、水平方向に延びて階段の後方に向けて開放する踏板収容溝および鉛直方向に延びて下方に向けて開放する蹴込板収容溝が形成されている。建築現場において、かかる階段を施工する際には、側板の踏板収容溝に、階段の後方から踏板の端部を前方に向けて挿入するとともに、側板の蹴込板収容溝に、階段の下方から蹴込板の端部を上方に向けて挿入し、踏板および蹴込板を側板に組み付けていた。
【０００３】
しかしながら、最下段（下から１番目）の蹴込板を側板に組み付ける際には、蹴込板収容溝の下端側開放部が床面によって塞がれてしまうため、上記のような簡便な方法を用いて蹴込板の端部を蹴込板収容溝に挿入することができず、例えば、一対の側板の下端部を、一旦、床面から持ち上げ、この状態で蹴込板を下方から蹴込板収容溝に挿入するなど、面倒な作業が行われていた。
【０００４】
このような問題に対し、下記特許文献１では、側板内側面における蹴込板取付溝（蹴込板収容溝）の後方に、前側が蹴込板取付溝に連通し、かつ後側が後方に向けて開放する作業溝を形成し、階段裏側における後方から、蹴込板の端部を上記作業溝を介して蹴込板取付溝にまで導くことで、蹴込板の端部を蹴込板取付溝内に収容配置するようになした点が開示されている。
この特許文献１に記載のものは、側板を持ち上げなくとも、最下段の蹴込板の端部を蹴込板取付溝内に収容可能とするものであるが、蹴込板を作業溝に挿入する際の作業領域が階段裏側の床面近傍に限定されてしまうことや、また蹴込板の挿入に先立って予め直上に踏板を配置しなければならず蹴込板が視認し難いなど、蹴込板を組み付ける作業については未だ改善の余地があった。
【先行技術文献】
【特許文献】
【０００５】
【特許文献１】特開２００６−２９９６３０号公報
【発明の概要】
【発明が解決しようとする課題】
【０００６】
本発明は以上のような事情を背景とし、最下段（下から１段目）に位置する蹴込板のように、収容される溝の下端側が、床面等によって塞がれてしまう場合でも、かかる蹴込板を一対の側板の間に容易に組み付けることが可能な階段、階段構成部材および階段の施工方法を提供することを目的としてなされたものである。
【課題を解決するための手段】
【０００７】
而して請求項１は、一対の側板の間に、踏板および該踏板と連結された蹴込板が組み付けられた階段の施工方法であって、
前記一対の側板のそれぞれの内側面に、水平方向に延びて後方に向けて開放し、前記踏板の端部を収容する第１の踏板収容溝と、
上端を該第１の踏板収容溝に連通させ、前記蹴込板の端部を収容する第１の蹴込板収容溝と、を形成するとともに、
少なくとも何れか一方の側板に、これら第１の蹴込板収容溝および第１の踏板収容溝に跨って、該第１の蹴込板収容溝の底面よりも掘り下げられ、前記蹴込板の端部を該底面よりも深い位置まで差込み可能とする開口部を形成しておき、
互いに平行に配置した前記一対の側板の間に、前記蹴込板を組み付けるに際し、
該蹴込板の一端部を前記開口部に差込んだ状態で、該一端部を中心に該蹴込板を回動させて、該蹴込板の他端部を、前記第１の蹴込板収容溝を臨む位置まで移動させ、その後、前記蹴込板の一端部を前記開口部から抜き出すことで、前記蹴込板の両端部をそれぞれ前記第１の蹴込板収容溝内に収容することを特徴とする。
【０００８】
蹴込板の端部を、側板の内側面に形成された蹴込板収容溝内に収容配置する場合、対向する側板の内側面間の距離に対し、蹴込板の長さが所定の掛かり代分だけ長くなるため、通常であれば階段の前側から蹴込板を収容溝内に嵌込むことは困難であるが、本発明では、蹴込板の一端部を、一方の側板の第１の蹴込板収容溝に形成された開口部に差込むことで、蹴込板の他端部を側板の内側面よりも更に内側に位置移動させることができるため、側板の内側面との干渉を回避しながら蹴込板の他端部を第１の蹴込板収容溝を臨む位置まで移動させ、蹴込板の両端部をそれぞれ第１の蹴込板収容溝内に収容することができる。
即ち本発明の施工方法によれば、最下段（下から１段目）に位置する蹴込板のように、収容される溝の下端側が床面等によって塞がれている場合でも、作業領域が階段裏側の床面近傍等に限定されることなく階段の前側から（また場合によっては階段の裏側から）最下段等の蹴込板を一対の側板の間に容易に組み付けることができる。
【０００９】
請求項２は、請求項１において、前記第１の蹴込板収容溝の前壁を鉛直方向に形成するとともに、該前壁と対向する後壁を、該後壁に沿って前記蹴込板を配置した際に該蹴込板の上端部が前記第１の踏板収容溝内に突出しないように、上方に進むにつれて該前壁から離れる方向に傾斜させておき、
前記第１の蹴込板収容溝内に収容した前記蹴込板を前記後壁に沿わせた状態とし、前記第１の踏板収容溝に挿入した前記踏板の前端を、前記蹴込板の直上を通過させ、その後に前記踏板と前記蹴込板とを連結させることを特徴とする。
【００１０】
このように直上の踏板に先立って、先ず蹴込板を収容溝内に収容するようにすれば、蹴込板の組み付け作業性を向上させることができる。また、最初に収容溝内に収容した蹴込板と、後から収容溝内に収容するその直上の踏板との干渉も良好に防止することができる。
【００１１】
請求項３は階段構成部材に関するもので、内側面に、水平方向に延びて後方に向けて開放し、踏板の端部を収容する第１の踏板収容溝と、
上端を該第１の踏板収容溝に連通させ、蹴込板の端部を収容する第１の蹴込板収容溝と、が形成された一対の側板を具備する階段構成部材であって、
少なくとも何れか一方の側板に、これら第１の蹴込板収容溝および第１の踏板収容溝に跨って、該第１の蹴込板収容溝の底面よりも掘り下げられ、前記蹴込板の端部を該底面よりも深い位置まで差込み可能とする開口部が形成されていることを特徴とする。
【００１２】
このような階段構成部材を用いれば、上記請求項１の施工方法により、作業領域が階段裏側の床面近傍等に限定されることなく階段の前側から、最下段等の蹴込板を一対の側板の間に容易に組み付けることができる。
【００１３】
請求項４は、請求項３において、前記第１の蹴込板収容溝の前壁が鉛直方向に形成されるとともに、該前壁と対向する後壁が、該後壁に沿って前記蹴込板を配置した際に該蹴込板の上端部が前記第１の踏板収容溝内に突出しないように、上方に進むにつれて該前壁から離れる方向に傾斜していることを特徴とする。
このような階段構成部材を用いれば、上記請求項２の施工方法により、直上の踏板に先立って、最初に蹴込板を収容溝内に収容することで、蹴込板の組み付け作業性を向上させることができる。
【００１４】
請求項５は、一対の側板の間に、踏板および該踏板と連結された蹴込板が組み付けられた階段であって、
前記一対の側板のそれぞれの内側面に、水平方向に延びて後方に向けて開放し、前記踏板の端部を収容する第１の踏板収容溝と、
上端を該第１の踏板収容溝に連通させ、前記蹴込板の端部を収容する第１の蹴込板収容溝と、が形成され、
少なくとも何れか一方の側板に、これら第１の蹴込板収容溝および第１の踏板収容溝に跨って、該第１の蹴込板収容溝の底面よりも掘り下げられ、前記蹴込板の端部を該底面よりも深い位置まで差込み可能とする開口部が形成されていることを特徴とする。
【００１５】
このような階段であれば、上記請求項１の施工方法により、作業領域が階段裏側の床面近傍等に限定されることなく階段の前側から、最下段等の蹴込板を一対の側板の間に容易に組み付けることができる。
【００１６】
請求項６は、請求項５において、前記第１の蹴込板収容溝の前壁が鉛直方向に形成されるとともに、該前壁と対向する後壁が、該後壁に沿って該蹴込板を配置した際に該蹴込板の上端が前記第１の踏板収容溝内に突出しないように、上方に進むにつれて該前壁から離れる方向に傾斜していることを特徴とする。
【００１７】
このような階段であれば、上記請求項２の施工方法により、直上の踏板に先立って、最初に蹴込板を収容溝内に収容することで、蹴込板の組み付け作業性を向上させることができる。
【図面の簡単な説明】
【００１８】
【図１】本発明の一実施形態の階段を示した斜視図である。
【図２】同階段の左右方向の中央を通る断面を示した図である。
【図３】踏板および蹴込板を分離した状態で示した図である。
【図４】（Ａ）は側板の内側面に形成された溝の形状を示した図である。（Ｂ）は（Ａ）のＢ−Ｂ部位に対応する断面図である。
【図５】（Ａ）は第１の踏板収容溝内に踏板を収容した状態を示した図である。（Ｂ）は第１の蹴込板収容溝内に蹴込板を収容した状態を示した図である。
【図６】（Ａ）は第２の踏板収容溝内に踏板を収容した状態を示した図である。（Ｂ）は第２の蹴込板収容溝内に蹴込板を収容した状態を示した図である。
【図７】図１の階段の施工手順を示す説明図である。
【図８】図７に続く施工手順を示す説明図である。
【図９】図８に続く施工手順を示す説明図である。
【図１０】図９に続く施工手順を示す説明図である。
【図１１】図１０に続く施工手順を示す説明図である。
【図１２】図１１に続く施工手順を示す説明図である。
【図１３】本発明とは異なる参考例の階段に係る要部を示した図である。
【図１４】参考例における最下段の蹴込板の組み付け手順を示す説明図である。
【発明を実施するための形態】
【００１９】
次に本発明の実施形態を図面に基づいて以下に詳しく説明する。
図１において、１０は、木製の箱型階段（以下、単に「階段」と称する）で、互いに平行に配置された左右一対の側板１２，１２と、一対の側板１２，１２間に設けられた複数の踏板１４および蹴込板１６を備えている。
【００２０】
各側板１２は、図１，２に示すように、下階の床面Ｆ上に載置される床設置面２３および床設置面２３から鉛直方向に立ち上がる前方鉛直面２４を備えた下端部２０と、上階側構成部材１８と連結される上端部２２と、を有している。下端部２０から上端部２２へと到る側板１２の内側面２６および外側面２８は平坦な面で構成され、その間の板厚は略一定とされている。各側板１２は、外側面２８と接する壁等の構造物１９に、図示を省略する釘等の固定具により固定されている。
【００２１】
踏板１４は、図３に示すように、四角板形状をなし、側板１２，１２間にて略水平方向に配置され、その上面３０が踏面とされている。踏板１４の下面３２側には、前端３４近傍にて長手方向（左右方向）に延びる嵌合溝３６が形成されている。
【００２２】
蹴込板１６は、図３に示すように、踏板１４よりも薄い厚みで、四角板形状をなしている。蹴込板１６の上端部４０を、踏板１４の下面３２に形成された嵌合溝３６に嵌入させることで、踏板１４と蹴込板１６とは直角状に連結可能とされている。蹴込板１６は、図１，２に示すように、踏板１４とともに側板１２に組み付けられた状態で、各踏板１４の下方に位置し、階段１０の裏面側を隠蔽する。
【００２３】
本例では、踏板１４の左右方向の幅寸法Ｗ1と、蹴込板１６の左右方向の幅寸法Ｗ2とが同じ幅寸法とされており、踏板１４と蹴込板１６とを連結させた状態で、踏板１４の左右方向の端面３８と、蹴込板１６の左右方向の端面４２とが面一となるよう構成されている。
【００２４】
図４（Ａ）は、側板１２の内側面２６に形成された溝の形状を示した図である。一対の側板１２，１２を平行に配置した際、対向面となるそれぞれの内側面２６には、踏板１４および蹴込板１６のそれぞれの端部を収容する踏板収容溝４４および蹴込板収容溝５２が鏡面対称に形成されている。本例では下から１段目に位置する踏板１４に対応する踏板収容溝を第１の踏板収容溝４４Ａ、それ以外の、下から２段目以上に位置する踏板１４に対応する踏板収容溝を第２の踏板収容溝４４Ｂとし、また下から１段目に位置する蹴込板１６に対応する蹴込板収容溝を第１の蹴込板収容溝５２Ａ、それ以外の、下から２段目以上に位置する蹴込板１６に対応する蹴込板収容溝を第２の蹴込板収容溝５２Ｂとする。
【００２５】
第１の踏板収容溝４４Ａは、上壁４５、下壁４６、前壁４７および階段１０の裏側において、後方に開放する後側開放縁部４８を有し、これらで囲まれた領域において内側面２６に対し所定深さの底面４９が形成されている。第１の踏板収容溝４４Ａは、側板１２が床面に設置された状態で、略水平方向に延びており、踏板１４の端部を後側開放縁部４８から前方に向けて挿入し得るよう構成されている。
【００２６】
なお、第１の踏板収容溝４４Ａの下壁４６は、後方に進むにつれて斜め下向きに傾斜しており、図２に示すように、この第１の踏板収容溝４４Ａ内に挿入された踏板１４の下面３２と下壁４６との間に楔材６５が押し込まれることにより、第１の踏板収容溝４４Ａ内に収容された踏板１４の上面３０が上壁４５に押し付けられて踏板１４が固定される。尚、場合によっては第１の踏板収容溝４４Ａを、踏板１４の厚さｔ1（図３参照）と同じ寸法幅の平行溝に形成して、楔材６５を省略することも可能である。
【００２７】
図５（Ａ）は、下から１段目に位置する踏板１４を、第１の踏板収容溝４４Ａ内に収容した状態を示した図である。同図に示すように、挿入された踏板１４の左右方向の移動は、踏板１４の端面３８と対向する第１の踏板収容溝４４Ａの底面４９により規制されている。また、踏板１４の前方への移動は、第１の踏板収容溝４４Ａの前壁４７により規制され、踏板１４と第１の踏板収容溝４４Ａの前壁４７との間で掛かり代Ｓ1が設定される。
【００２８】
第１の蹴込板収容溝５２Ａは、図４（Ａ）に示すように、鉛直方向に延びる前壁５３、前壁５３と対向する後壁５４、直上の第１の踏板収容溝４４Ａと連通する上側連通縁部５５、下方に開放する下側開放縁部５６を有し、これらで囲まれた領域において内側面２６に対し所定深さの底面５７が形成されている。本例では底面５７は、連通する第１の踏板収容溝４４Ａの底面４９と同じ深さとされている。
【００２９】
前壁５３と対向する後壁５４は、鉛直方向の仮想線よりも角度αだけ斜め後方に、即ち上方に進むにつれて前壁５３から離れる方向に傾斜している。その傾きαは、後壁５４の下端から上端に到る長さＬ1が蹴込板１６の高さｈ2（図３参照）よりも長くなるよう設定されている。その結果、前壁５３と後壁５４とで規定される第１の蹴込板収容溝５２Ａの溝幅は、下側開放縁部５６の溝幅Ｗ3にて蹴込板１６の板厚ｔ2（図３参照）よりも僅かに大きく設定され、他方、上側連通縁部５５の溝幅Ｗ4は、溝幅Ｗ3より大とされている。
【００３０】
尚、後壁５４は、後壁５４に沿って蹴込板１６を配置した際に蹴込板１６の上端部４０が第１の踏板収容溝４４Ａ内に突出しないような傾きで形成すれば良い。本例の後壁５４は、一定の傾きで上端まで直線的に延びているが、上端に向かう途中の位置でその傾きを変更させたり、また傾斜角度を漸次変更させた湾曲形状とすることも可能である。
【００３１】
図５（Ｂ）は、下から１段目に位置する蹴込板１６を第１の蹴込板収容溝５２Ａ内に収容した状態を示した図である。前壁５３に近接する所定の位置に配置された蹴込板１６の左右方向の移動は、蹴込板１６の左右方向の端面４２と対向する第１の蹴込板収容溝５２Ａの底面５７により規制されている。また、蹴込板１６の前方への移動は、第１の蹴込板収容溝５２Ａの前壁５３により規制され、蹴込板１６と蹴込板収容溝５２Ａの前壁５３との間で掛かり代Ｓ2が設定される。本例では蹴込板１６の掛かり代Ｓ2は、踏板１４の掛かり代Ｓ1と同じ寸法で設定されている。
【００３２】
また図４（Ａ）に示すように、本例では、第１の蹴込板収容溝５２Ａおよび第１の踏板収容溝４４Ａに跨って開口部６０が形成されている。開口部６０は正面視で略細長四角形状をなしており、開口部６０の長手方向の幅は蹴込板１６の高さｈ2よりも大きく、また開口部６０の短手方向の幅は蹴込板１６の板厚ｔ2よりも大きく設定されており、蹴込板１６の一端部を差込み可能な開口形状とされている。開口部６０は、後壁５４と同様に上方に向かうにつれて斜め後方に傾けられて、後壁５４と近接した位置に形成されている。
【００３３】
図５に示すように本例では、開口部６０を一方の側板１２Ａにのみ形成しているが、これに代えて他方の側板１２Ｂにのみ形成することも可能であるし、また１２Ａおよび１２Ｂ両方の側板に開口部６０を形成することも可能である。また、本例の開口部６０は、側板１２Ａの板厚方向に貫通する貫通孔として形成されているが、場合によっては有底の凹孔として形成することも可能である。
【００３４】
次に、下から２段目以上に位置する踏板１４に対応する第２の踏板収容溝４４Ｂは、図４（Ａ）に示すように上壁４５、下壁４６、前壁４７および階段１０の裏面側において、後方に開放する後側開放縁部４８を有し、これらで囲まれた領域において内側面２６に対し所定深さの底面４９が形成されている。第２の踏板収容溝４４Ｂは、略水平方向に延びており、踏板１４の端部を後側開放縁部４８から前方に向けて挿入し得るよう構成されている。即ち、第２の踏板収容溝４４Ｂは、第１の踏板収容溝４４Ａと同様の溝形状を有している。なお、図６（Ａ）にて、踏板１４を第２の踏板収容溝４４Ｂ内に収容した状態を示している。
【００３５】
また、下から２段目以上に位置する蹴込板１６に対応する第２の蹴込板収容溝５２Ｂは、図４（Ａ）に示すように、ともに鉛直方向に延びる前壁５３、後壁５４、直上の第２の踏板収容溝４４Ｂと連通する上側連通縁部５５、下方に開放された下側開放縁部５６を有し、これらで囲まれた領域において内側面２６に対し所定深さの底面５７が形成されている。この第２の蹴込板収容溝５２Ｂは、第１の蹴込板収容溝５２Ａとは異なり、平行溝として形成され、前壁５３と後壁５４とで規定されるその溝幅Ｗ5は、蹴込板１６が挿入可能なように蹴込板１６の板厚ｔ2よりも僅かに大きく設定されている。なお、図６（Ｂ）にて、蹴込板１６を第２の蹴込板収容溝５２Ｂ内に収容した状態を示している。
【００３６】
次に階段１０の施工方法について説明する。
（ａ）階段構成部材である一対の側板１２，１２、複数の踏板１４および蹴込板１６を準備する。なお、各階段構成部材は、現地での組み付け作業性の向上を図るため、現場搬入前に予め工場にて所定形状に加工されたものを用いることが好ましいが、場合によっては現場搬入後に加工することも可能である。
（ｂ）次に、一対の側板１２，１２を互いに平行な状態となるように床面Ｆ上に載置し、壁等の構造物に固定する。
【００３７】
（ｃ）次に、最下段（下から１段目）の踏板１４および蹴込板１６を取り付ける。図７（Ａ）に示すように、階段の前側から蹴込板１６の一端部６１を、開口部６０が形成されている図中左側の側板１２Ａの第１の蹴込板収容溝５２Ａ内に挿入した後、更に図７（Ｂ）に示すように一端部６１を開口部６０に差込む。詳しくは、蹴込板１６の他端部６２が側板１２Ｂの内側面２６よりも内側となる深さまで、蹴込板１６の一端部６１を開口部６０に差込む。その後、図７（Ｂ）に示すように、一端部６１を中心にして蹴込板１６を回動させて、２点鎖線で示すように他端部６２を、図中右側の側板１２Ｂの第１の蹴込板収容溝５２Ａを臨む位置まで移動させる（図７（Ｃ）参照）。その後、図８に示すように、一端部６１を開口部６０から抜き出すことで、蹴込板１６の両端部６１，６２がそれぞれ第１の蹴込板収容溝５２Ａ内に収容される。そして、第１の蹴込板収容溝５２Ａ内に両端部が収容された蹴込板１６は、図９に示すように、後壁５４に沿わせた状態で保持しておく。このとき本例では、後壁５４の下端から上端に到る長さＬ1が蹴込板１６の高さｈ2よりも長いため、蹴込板１６の上端部４０の、第１の踏板収容溝４４Ａ内への突出が防止されている。
【００３８】
次に、図１０（Ａ）に示すように、第１の踏板収容溝４４Ａの後方側から踏板１４を挿入する。続いて、図１０（Ｂ）に示すように、踏板１４の前端３４を、蹴込板１６の直上を通過させ、その後、蹴込板１６の上端部４０を、踏板１４の嵌合溝３６に嵌入させ、踏板１４と蹴込板１６とを連結させる。更に、図１１（Ａ）に示すように、踏板１４と蹴込板１６との連結状態を維持したまま、踏板１４を前方に移動させて、踏板１４の前端３４が第１の踏板収容溝４４Ａの前壁４７に当接する所定の位置にまで移動させる。このとき蹴込板１６は、下端部４１を中心に前方に回動して、第１の蹴込板収容溝５２Ａの前壁５３に当接もしくは近接する所定の位置に配置される（図１１（Ｂ）参照）。そして踏板１４および蹴込板１６が所定の位置にある状態で、踏板１４と下壁４６との間に楔材６５を挿入して踏板１４を固定する。なお、楔材６５は抜けないように、釘等固定具(図示省略)で側板１２に固定する。これによって最下段（下から１段目）の踏板１４および蹴込板１６は強固に固定される。
【００３９】
（ｄ）次に、下から２段目の踏板１４および蹴込板１６を取り付ける。図１２（Ａ）に示すように、側板１２に形成された第２の踏板収容溝４４Ｂの後方から踏板１４を挿入し、前壁４７に当接する所定の位置にまで移動させる。続いて第２の踏板収容溝４４Ｂの後方から、踏板１４と第２の踏板収容溝４４Ｂの下壁４６との間に楔材６５を挿入し（図１２（Ｂ）参照）、踏板１４を固定する。次に、図１２（Ｃ）に示すように、側板１２に形成された第２の蹴込板収容溝５２Ｂに合わせるように、階段裏側の下方から蹴込板１６を挿入する。そして、蹴込板１６の上端部４０を、直上の踏板１４の嵌合溝３６に嵌入させるとともに、下方の踏板１４の後端面に接するように立設し、蹴込板１６の下端部４１と下方に位置する踏板１４とを階段裏側から釘６７で固定する。
【００４０】
（ｅ）下から３段目以上の踏板１４および蹴込板１６については、上記（ｄ）と同様の手順で組み付けることができる。
【００４１】
以上のような本実施形態の階段１０によれば、一対の側板１２，１２を床面Ｆに載置させたままの状態で、側板１２，１２を持ち上げることなく最下段の蹴込板１６を階段の前側から第１の蹴込板収容溝５２Ａ内に収容することができる。最下段の蹴込板１６を第１の蹴込板収容溝５２Ａ内に収容する際の作業領域は、階段裏側の床面近傍に限定されることなく、階段の前側から最下段の蹴込板１６を一対の側板１２，１２の間に組み付けることができる。尚、上記施工方法では、階段の前側から最下段の蹴込板１６を一対の側板１２，１２の間に組み付けているが、場合によっては階段の後側（裏側）から最下段の蹴込板１６を一対の側板１２，１２の間に組み付けることも可能である。
【００４２】
また本実施形態の階段１０は、第１の蹴込板収容溝５２Ａの、前壁５３と対向する後壁５４を、上方に進むにつれて前壁５３から離れる方向に傾斜させ、後壁５４に沿って蹴込板１６を配置した際に、蹴込板１６の上端部が第１の踏板収容溝４４Ａ内に突出しないように構成されている。このため階段１０においては、直上の踏板１４に先立って、最初に最下段の蹴込板１６を収容溝５２Ａ内に収容することで、最下段の蹴込板１６の組み付け作業性を向上させることができる。また、最初に収容溝５２Ａ内に収容した最下段の蹴込板１６の上端部４０と、後から収容溝４４Ａ内に収容するその直上の踏板１４との干渉も良好に防止することができる。
【００４３】
以上、本発明の実施形態を詳述したがこれはあくまでも一例示である。上記実施形態の階段は直階段を構成するものであったが、本発明は途中の方向が転換される回り階段や折返し階段に適用することも可能である。また上記実施形態では、第１の蹴込板収容溝５２Ａを最下段に適用した例であったが、例えば、上下階の中間位置に踊り場が設けられた構造の階段においては、上下階の中間位置にて、踊り場を構成する板材によって下端側が塞がれてしまう蹴込板収容溝に、第１の蹴込板収容溝５２Ａの構成を適用することも可能である等、その趣旨を逸脱しない範囲において様々変更を加えた形態で構成可能である。
【００４４】
次に、本発明とは異なる参考例について説明する。本例は、上記実施形態とは異なり開口部を用いることなく、最下段の蹴込板１６を第１の蹴込板収容溝５２Ａ内に収容可能としたものである。当該参考例において、上記実施形態の構成要素に相当するものについては同じ符号を付すとともに、その詳細な説明を省略する。
【００４５】
図１３は、本参考例の階段７０に用いられる側板１２の内側面２６の溝形状を示した図である。第１の踏板収容溝４４Ａの下方に形成された第１の蹴込板収容溝５２Ａは、上記階段１０の場合と同様に、鉛直方向に延びる前壁５３、前壁５３と対向する後壁５４、直上の第１の踏板収容溝４４Ａと連通する上側連通縁部５５、下方に開放された下側開放縁部５６を有し、これらで囲まれた領域において内側面２６に対し所定深さの底面５７が形成されている。本例において、底面５７は、連通する第１の踏板収容溝４４Ａの底面４９と同じ深さとされている。
【００４６】
前壁５３と対向する後壁５４は、鉛直方向の仮想線よりも角度αだけ斜め後方に、即ち上方に進むにつれて前壁５３から離れる方向に傾斜している。更に本例では後壁５４の上端に切欠部７２が形成され、上側連通縁部５５における溝幅Ｗ4を拡げている。
上側連通縁部５５における溝幅Ｗ4は、第１の踏板収容溝４４Ａ内に挿入された蹴込板１６が、上側連通縁部５５を通じて第１の蹴込板収容溝５２Ａ内に移動可能な溝幅、換言すれば蹴込板１６を略９０°下向きに方向転換可能な溝幅に設定されている。尚、上側連通縁部５５を通じて第１の蹴込板収容溝５２Ａ内への蹴込板１６の移動が可能であれば切欠部７２は廃止することも可能である。
【００４７】
このように構成された階段７０においては、図１４（Ａ）に示すように、最下段の蹴込板１６の端部を第１の踏板収容溝４４Ａの後側開放縁部４８から、踏板収容溝４４Ａ内に挿入した後、第１の蹴込板収容溝５２Ａの上側連通縁部５５近傍において、その先端が下向きになるように蹴込板１６を方向転換させることで、蹴込板１６の端部を第１の蹴込板収容溝５２Ａ内に収容することができる（図１４（Ｂ）参照）。以降は、上記階段１０の場合と同様の手順で最下段の蹴込板１６の組み付けを行うことができる。
【００４８】
この階段７０によれば、開口部を側板１２に加工しない簡素な構成を用いながら、一対の側板１２，１２を床面Ｆに載置させたままの状態で、側板１２，１２を持ち上げることなく最下段の蹴込板１６を第１の蹴込板収容溝５２Ａ内に収容することができる。
また、直上の踏板１４に先立って最下段の蹴込板１６を第１の蹴込板収容溝５２Ａ内に収容することができるため、最下段の蹴込板１６の組み付け作業性を向上させることができる。
【符号の説明】
【００４９】
１０  階段
１２  側板
１４  踏板
１６  蹴込板
２６  内側面
３４  前端
４０  上端部
４４Ａ  第１の踏板収容溝
５２Ａ  第１の蹴込板収容溝
５３    前壁
５４    後壁
５７    底面
６０    開口部
６１    一端部
６２    他端部
【図１】
2019082002.tif 000003
【図２】
2019082002.tif 000004
【図３】
2019082002.tif 000005
【図４】
2019082002.tif 000006
【図５】
2019082002.tif 000007
【図６】
2019082002.tif 000008
【図７】
2019082002.tif 000009
【図８】
2019082002.tif 000010
【図９】
2019082002.tif 000011
【図１０】
2019082002.tif 000012
【図１１】
2019082002.tif 000013
【図１２】
2019082002.tif 000014
【図１３】
2019082002.tif 000015
【図１４】
2019082002.tif 000016